(57)【特許請求の範囲】
【請求項１】
車室内前方に設置される第１の表示手段と、
該第１の表示手段よりも小形であって、車両の運転席から前記第１の表示手段を見るよりも視線移動が少ない位置に設置される第２の表示手段とが接続され、  前記第１の表示手段に表示される電子番組案内データの一部を前記第２の表示手段に表示させる処理を行う提示処理手段を備えていることを特徴とするディジタル放送受信機。
【請求項２】
前記提示処理手段が、
前記電子番組案内デ−タに含まれている放送局名、チャンネル番号、サ−ビス名、サ−ビス番号、音声モ−ド、番組名、番組の記述、番組の映像品質、番組の音声品質、番組の言語情報、番組の開始時刻、番組の終了時刻、番組のジャンル、及び表示操作釦、チャンネルプリセットモ−ドのうちの少なくとも１つの情報を前記第２の表示手段に表示させる処理を行うものであることを特徴とする請求項１記載のディジタル放送受信機。
【請求項３】
前記提示処理手段が、
前記電子番組案内デ−タから所定の番組デ−タを抽出する番組デ−タ抽出手段と、
該番組デ−タ抽出手段により抽出された前記所定の番組デ−タに基づいて、前記第２の表示手段に表示する画像を描画処理する描画処理手段とを備えていることを特徴とする請求項１又は請求項２記載のディジタル放送受信機。
【請求項４】
前記番組デ−タ抽出手段が、
前記第１の表示手段に表示されている電子番組案内の中で選択された番組に関連する番組デ−タを抽出するものであることを特徴とする請求項３記載のディジタル放送受信機。
【請求項５】
前記電子番組案内デ−タと関連付けられたイラストデ−タが記憶された記憶手段を備え、
前記描画処理手段が、前記記憶手段から読み出された前記イラストデ−タの画像を描画処理するものであることを特徴とする請求項３又は請求項４記載のディジタル放送受信機。
【請求項６】
前記イラストデ−タを前記第２の表示手段に表示させるか否かを判断するイラスト表示判断手段を備え、
該イラスト表示判断手段が前記イラストデ−タを表示すると判断した場合、前記描画処理手段が前記記憶手段から読み出された前記イラストデ−タの画像を描画処理するものであることを特徴とする請求項５記載のディジタル放送受信機。
【請求項７】
前記提示処理手段が、
前記第２の表示手段に表示する画面を切り替えるための表示画面切替手段からの表示画面切替信号に基づいて、前記第２の表示手段に表示する画面の切り替え処理を行うものであることを特徴とする請求項１〜６のいずれかの項に記載のディジタル放送受信機。
【請求項８】
前記提示処理手段が、
前記第１の表示手段に表示されている電子番組案内の中で選択されている番組箇所からスクロール可能な方向を示すスクロール情報を前記第２の表示手段に表示させる処理を行うものであることを特徴とする請求項１〜７のいずれかの項に記載のディジタル放送受信機。
【請求項９】
請求項１〜８のいずれかの項に記載のディジタル放送受信機と、
該ディジタル放送受信機で受信した前記電子番組案内デ−タの一部を表示する前記第２の表示手段とを備えていることを特徴とするディジタル放送受信システム。
【請求項１０】
前記第２の表示手段が、車両のメ−タパネル内に設けられるものであることを特徴とする請求項９記載のディジタル放送受信システム。
【請求項１１】
前記第２の表示手段が、車両の運転席前方に設けられたヘッドアップディスプレイであることを特徴とする請求項９記載のディジタル放送受信システム。
【発明の詳細な説明】
【０００１】
【発明の属する技術分野】
本発明はディジタル放送受信機、及びディジタル放送受信システムに関し、より詳細には電子番組案内（Electronic Program Guide、以下、ＥＰＧと記す）デ−タを受信して、ＥＰＧを画面に表示させることのできるディジタル放送受信機、及びディジタル放送受信システムに関する。
【０００２】
【従来の技術】
図２３は、従来のディジタル放送受信システムの要部を概略的に示したブロック図である。
図中５０は、ディジタル放送受信システムを示しており、ディジタル放送受信システム５０は、ディジタル放送受信機６０と、ディスプレイ８０と、スピ−カ２５と、ディジタル放送受信機６０の送受信操作を行うリモコン２４とを含んで構成されている。
【０００３】
ディジタル放送受信機６０は、アンテナ１１ａを介して放送電波を受信するチュ−ナ部１１と、所定のディジタル変調方式により変調された信号を、もとのディジタル信号のＴＳ（Transport Stream) に復調するディジタル復調部１２と、復調されたＴＳから選局チャンネル分の音声デ−タ、映像デ−タ、及び電子番組案内（ＥＰＧ）デ−タ等を分離するＴＳ（Transport Stream) デコ−ド部１３と、分離された音声デ−タをデコ−ドする音声デコ−ド部１４と、映像デ−タをデコ−ドする映像デコ−ド部１５と、ＥＰＧデ−タをデコ−ドするＥＰＧデコ−ド部１６と、デコ−ドされた映像デ−タやＥＰＧデ−タをディスプレイ８０に画像表示させるための描画処理を行う提示処理部６７と、ＥＰＧデ−タ等、制御に必要なデ−タを記憶するＲＡＭ１８と、制御プログラム等が記憶されたＲＯＭ６９と、各部を制御するＣＰＵ７０と、電話回線を通じて外部との通信を行うためのモデム２１と、リモコン２４等からの外部信号の入出力制御を行うＩ／Ｏポ−ト２２と、これら各部を接続するバスライン２３とを含んで構成されている。
【０００４】
リモコン２４は、ＥＰＧの番組表を表示させるためのＥＰＧ釦２４ａや、ディスプレイ８０に表示されたＥＰＧの番組等を選択するためのスクロ−ル釦２４ｂや、選択された番組映像への切替や、表示操作釦の入力等を行うための決定釦２４ｃ、チャンネル釦２４ｄなどの各種設定・操作釦を備えている。
【０００５】
リモコン２４に設けられたＥＰＧ釦２４ａが押されると、ＥＰＧを表示させる信号がＩ／Ｏポ−ト２２を介して、ＣＰＵ７０に入力され、ＣＰＵ７０は、ＥＰＧを表示させるように各部を制御して、ディスプレイ８０にＥＰＧが表示される。
【０００６】
図２４は、ディスプレイ８０に表示されるＥＰＧの表示例を示している。表示されるＥＰＧには、放送局名、チャンネル番号、サ−ビス名、番組名、番組開始時間、番組終了時間等の情報が含まれており、この画面を通じて、視聴する番組の選択や視聴予約等を行うことができるようになっている。
【０００７】
【発明が解決しようとする課題】
従来、アナログ放送では、車両や船舶等の移動体中で電波を受信する場合、移動することによって発生する電波強度の変化や外来電波等に起因した妨害電波によって、映像がダブって見えるゴ−スト障害や、縞模様が入るビ−ト障害や、光る点が見えたりするパルス障害が現れやすく、表示画像が乱れやすいものであった。
【０００８】
一方、ディジタル放送では、ディジタル信号で処理されることから移動によって発生する電波強度の変化の影響や電波障害による影響を受けにくく、アナログ放送のような表示画像の乱れが少なくなり、安定した受信ができるようになるため、家庭用のみならず、今後、車両等の移動体にもディジタル放送受信機の搭載が見込まれている。
【０００９】
しかしながら、車両においては、ディスプレイが車室内の前方のインストルメントパネル中央部分に取り付けられる場合が多く、このような場所に取り付けられた場合、運転者は、前記ディスプレイを見るために、視線位置を前方からディスプレイ側に大きく移動させる必要があり、安全性の面で課題があった。
【００１０】
また、ディジタル放送では、ＥＰＧなどの文字や図形などを含むマルチメディア形式のデ−タ放送も行われるため、車載用のディスプレイにＥＰＧ等が表示された場合には、表示される情報量が多くなり、しかも文字等が小さく表示されるため、目的とする番組を探したり、内容を読み取るだけでも画面を注視する時間が長くなり、安全上好ましくなく、また番組の選択等の操作をスム−ズに行うことが困難であるという課題があった。
【００１１】
本発明は上記課題に鑑みなされたものであって、ＥＰＧデ−タを把握しやすいように表示させることができ、車両搭載時における安全性の向上に配慮されたディジタル放送受信機、及びディジタル放送受信システムを提供することを目的としている。
【００１２】
【課題を解決するための手段及びその効果】
上記目的を達成するために本発明に係るディジタル放送受信機（１）は、車室内前方に設置される第１の表示手段と、該第１の表示手段よりも小形であって、車両の運転席から前記第１の表示手段を見るよりも視線移動が少ない位置に設置される第２の表示手段とが接続され、前記第１の表示手段に表示される電子番組案内データの一部を前記第２の表示手段に表示させる処理を行う提示処理手段を備えていることを特徴としている。
【００１３】
上記ディジタル放送受信機（１）によれば、車室内前方に設置される第１の表示手段に表示される電子番組案内デ−タの一部を、車両の運転席から前記第１の表示手段を見るよりも視線移動が少ない位置に設置される第２の表示手段に表示させることができる。したがって、運転者の視線を前方から大きくそらすことなく、前記第２の表示手段を通じて、前記第１の表示手段に表示される番組に関する情報を安全に視認させることができ、運転者にとって、前記第１の表示手段に表示される番組の情報が把握しやすくなり、番組の選択等の操作をスム−ズに行うことができ、車載時における安全性の向上に配慮したシステムを実現することができる。
【００１４】
また、本発明に係るディジタル放送受信機（２）は、上記ディジタル放送受信機（１）において、前記提示処理手段が、前記電子番組案内デ−タに含まれている放送局名、チャンネル番号、サ−ビス名、サ−ビス番号、音声モ−ド、番組名、番組の記述、番組の映像品質、番組の音声品質、番組の言語情報、番組の開始時刻、番組の終了時刻、番組のジャンル、及び表示操作釦、チャンネルプリセットモ−ドのうちの少なくとも１つの情報を前記第２の表示手段に表示させる処理を行うものであることを特徴としている。
【００１５】
上記ディジタル放送受信機（２）によれば、前記電子番組案内デ−タに含まれている種々の情報を前記第２の表示手段に表示させることができ、該第２の表示手段を通じて、使用者は、前記電子番組案内デ−タに含まれている種々の情報を把握することができる。
【００１６】
また、本発明に係るディジタル放送受信機（３）は、上記ディジタル放送受信機（１）又は（２）において、前記提示処理手段が、前記電子番組案内デ−タから所定の番組デ−タを抽出する番組デ−タ抽出手段と、該番組デ−タ抽出手段により抽出された前記所定の番組デ−タに基づいて、前記第２の表示手段に表示する画像を描画処理する描画処理手段とを備えていることを特徴としている。
【００１７】
上記ディジタル放送受信機（３）によれば、前記電子番組案内デ−タから所定の番組デ−タを抽出することができ、該番組デ−タに基づいて描画処理された画像を前記第２の表示手段に表示させることができる。
【００１８】
また、本発明に係るディジタル放送受信機（４）は、上記ディジタル放送受信機（３）において、前記番組デ−タ抽出手段が、前記第１の表示手段に表示されている電子番組案内の中で選択された番組に関連する番組デ−タを抽出するものであることを特徴としている。
【００１９】
上記ディジタル放送受信機（４）によれば、前記第１の表示手段に表示されている電子番組案内の中で選択された番組に関連する情報を前記第２の表示手段に表示させることができ、前記第２の表示手段を通じて、使用者は、選択番組に関する情報を把握することができる。
【００２０】
また、本発明に係るディジタル放送受信機（５）は、上記ディジタル放送受信機（３）又は（４）において、前記電子番組案内デ−タと関連付けられたイラストデ−タが記憶された記憶手段を備え、前記描画処理手段が、前記記憶手段から読み出された前記イラストデ−タの画像を描画処理するものであることを特徴としている。
【００２１】
上記ディジタル放送受信機（５）によれば、前記電子番組案内デ−タを前記第２の表示手段に表示させる場合に、前記電子番組案内デ−タと関連付けられたイラストを前記第２の表示手段に表示させることができ、該イラストにより前記第２の表示手段に表示する番組情報をより分かりやすいものにすることができる。
【００２２】
また、本発明に係るディジタル放送受信機（６）は、上記ディジタル放送受信機（５）において、前記イラストデ−タを前記第２の表示手段に表示させるか否かを判断するイラスト表示判断手段を備え、該イラスト表示判断手段が前記イラストデ−タを表示すると判断した場合、前記描画処理手段が前記記憶手段から読み出された前記イラストデ−タの画像を描画処理するものであることを特徴としている。
【００２３】
上記ディジタル放送受信機（６）によれば、前記イラスト表示判断手段が、前記イラストデ−タを前記第２の表示手段に表示させるか否かを適切に判断し、該判断に基づいて前記イラストデ−タの画像を描画処理して、前記第２の表示手段に表示させることができる。したがって、前記第２の表示手段にイラストを適切に表示させることができ、より分かりやすい番組情報とすることができる。
【００２４】
また、本発明に係るディジタル放送受信機（７）は、上記ディジタル放送受信機（１）〜（６）のいずれかにおいて、前記提示処理手段が、前記第２の表示手段に表示する画面を切り替えるための表示画面切替手段からの表示画面切替信号に基づいて、前記第２の表示手段に表示する画面の切り替え処理を行うものであることを特徴としている。
【００２５】
上記ディジタル放送受信機（７）によれば、前記表示画面切替手段からの表示画面切替信号に基づいて、前記第２の表示手段に表示する画面を切り替えることができる。したがって、選択された番組に関するさまざまな情報を、使用者の好みに応じて切り換えることができ、使用者は、番組に関して知りたい情報を把握することができる。
また、前記表示画面切替手段が、車両のハンドル付近に設置されるものとすれば、表示内容の切替のための操作を運転者が簡単に行うことができ、操作に伴う運転者の視線移動を抑えることができ、安全性を向上させることができる。
【００２６】
また本発明に係るディジタル放送受信機（８）は、上記ディジタル放送受信機（１）〜（７）のいずれかにおいて、前記提示処理手段が、前記第１の表示手段に表示されている電子番組案内の中で選択されている番組箇所からスクロール可能な方向を示すスクロール情報を前記第２の表示手段に表示させる処理を行うものであることを特徴としている。
【００２７】
上記ディジタル放送受信機（８）によれば、前記スクロ−ル情報が前記第２の表示手段に表示されるので、前記第１の表示手段に表示されている電子番組案内を見なくても、スクロ−ル可能な方向を把握することができ、番組選択をスム−ズに行うことができる。
【００２８】
また、本発明に係るディジタル放送受信システム（１）は、上記ディジタル放送受信機（１）〜（８）のいずれかと、該ディジタル放送受信機で受信した前記電子番組案内デ−タの一部を表示する前記第２の表示手段とを備えていることを特徴としている。
【００２９】
上記ディジタル放送受信システム（１）によれば、前記第２の表示手段を通じて、使用者は、前記電子番組案内デ−タを分かりやすく把握することができ、番組選択等をスム−ズに行うことができる。
【００３１】
また、本発明に係るディジタル放送受信システム（２）は、上記ディジタル放送受信システム（１）において、前記第２の表示手段が、車両のメ−タパネル内に設けられるものであることを特徴としている。
【００３２】
また、本発明に係るディジタル放送受信システム（３）は、上記ディジタル放送受信システム（１）において、前記第２の表示手段が、車両の運転席前方に設けられたヘッドアップディスプレイであることを特徴としている。
【００３３】
上記ディジタル放送受信システム（１）〜（３）によれば、運転者が前方から視線を大きくそらすことなく、安全に前記電子番組案内デ−タを視認することができ、安全性の向上に配慮したシステムとすることができる。また、前記ヘッドアップディスプレイを採用した場合には、運転中の視線移動をさらに少なくすることができ安全性をさらに向上させることができる。
【００３４】
【発明の実施の形態】
以下、本発明に係るディジタル放送受信機及びディジタル放送受信システムの実施の形態を図面に基づいて説明する。
図１は、車載用に採用された、実施の形態（１）に係るディジタル放送受信システムの要部を概略的に示したブロック図である。但し、図２３に示した従来のディジタル放送受信システム５０と同一機能を有する構成部品については、同一符号を付し、その説明を省略する。
【００３５】
図中１は、ディジタル放送受信システムを示し、ディジタル放送受信システム１は、ディジタル放送受信機１０と、メインディスプレイ（第１の表示手段）（以下メインＤＰと記す）３０と、サブディスプレイ（第２の表示手段）（以下サブＤＰと記す）４０と、スピ−カ２５と、ディジタル放送受信機１０の受信操作等を行うことのできるリモコン２４とを含んで構成されている。
【００３６】
メインＤＰ３０は、車室内前方のインストルメントパネル中間部分（運転席と助手席の中間部分）に設置され、液晶ディスプレイで構成されており、番組映像やＥＰＧが表示されるものである。
【００３７】
サブＤＰ４０は、車両の運転席に座った者があまり視線移動をすることなく見える位置に設置されるものであり、例えばメ−タパネル４１内に設けられた液晶ディスプレイにより構成される。サブＤＰ４０のサイズは、特に限定されるものではなく、メ−タパネル４１内に納まるサイズであればよい。
【００３８】
ディジタル放送受信部１０は、チュ−ナ部１１と、ディジタル復調部１２と、ＴＳデコ−ド部１３と、音声デコ−ド部１４と、映像デコ−ド部１５と、ＥＰＧデコ−ド部１６と、提示処理部１７と、ＲＡＭ１８と、ＲＯＭ１９と、ＣＰＵ２０と、モデム２１と、Ｉ／Ｏポ−ト２２と、バスライン２３とを含んで構成されている。
【００３９】
提示処理部１７は、ＣＰＵ２０の制御に基づいて、映像デコ−ド部１５やＥＰＧデコ−ド部１６でデコ−ドされたデ−タに基づいて、メインＤＰ３０に画像として表示させるための描画処理を行うとともに、メインＤＰ３０にＥＰＧを表示させる場合に、ＥＰＧデコ−ド部１６でデコ−ドされたＥＰＧデ−タの一部をサブＤＰ４０に表示させるための画像の描画処理も行うようになっている。
【００４０】
ＥＰＧデ−タは、ＭＰＥＧ（Moving Picture Coding Expert Group) ２−ＴＳパケットという形態で放送局側から送られてくるデ−タ中の番組配列情報（Service Information 、以下ＳＩと記す）の中に含まれている。
【００４１】
受信側で番組や情報を選ぶためのＳＩには、ＳＤＴ、ＢＡＴ、ＥＩＴ、ＴＤＴ、ＲＳＴ、ＳＴ等のテ−ブルが含まれており、ＳＩの中でも主にＥＰＧの表示に使用されるのは、ＥＩＴ（Event Information Table)及びＳＤＴ(Service Descrip tion Table) の二つのテ−ブルのデ−タである。
【００４２】
図２は、ＥＩＴのデ−タ構造の一部（イベント（番組）毎の繰り返し部分）を示している。図２に示したＥＩＴのイベント毎の繰り返し部分には、イベント識別、開始時間、継続時間、進行状態、スクランブル、記述子領域長、及び記述子領域が含まれている。また、図示していないＳＤＴには、編成チャンネルの情報（サ−ビス番号、進行状態）などが含まれている。
【００４３】
前記ＥＩＴ及びＳＤＴの記述子領域には、番組に関する詳細な情報をテキスト形式で記述できるようになっており、短形式イベント記述子（番組名、番組記述など）、拡張形式イベント記述子（原作、脚本、監督、出演者など）、及びコンテント記述子（例えば、ドラマ、ニュ−ス、スポ−ツなどのジャンル情報やシリ−ズ物、再放送などの情報を表せる記述子）などが含まれており、番組選択に必要な情報が詳細に記述できるようなデ−タ構造となっている。
【００４４】
本実施の形態では提示処理部１７において、主に前記ＥＩＴ及びＳＤＴに含まれるＥＰＧデ−タから所定のＥＰＧデ−タを抽出し、抽出したＥＰＧデ−タに基づいて画像を描画処理し、サブＤＰ４０に表示させる処理を行う点に特徴がある。
【００４５】
所定のＥＰＧデ−タの抽出方法としては、ＥＰＧデ−タに含まれている放送局名、チャンネル番号、サ−ビス名、サ−ビス番号、音声モ−ド、番組名、番組の記述、番組の映像品質、番組の音声品質、番組の言語情報、番組の開始時刻、番組の終了時刻、番組のジャンル、及び表示操作釦、チャンネルプリセットモ−ドのうちの少なくとも１つの情報をサブＤＰ４０に表示させる処理を行うようになっている。
【００４６】
例えば、各番組に共通の抽出条件を設定して、どの番組を選択してもＥＰＧデ−タの同一情報を抽出するようにしたり、番組ジャンルに対応した抽出条件を設定して、番組のジャンルに応じて抽出する情報を変更するようにしたり、表示操作釦の切替に対応する抽出条件を設定して、切り替えられたメインＤＰ３０の表示内容に応じて抽出する情報を変更するようにしたり、あるいは、使用者が好みに応じて抽出条件を設定（ユ−ザ登録）できるようになっている。
【００４７】
図３は、ＲＯＭ１９に記憶されている、ＥＰＧデ−タの抽出条件が設定されたＥＰＧデ−タ抽出テ−ブルの一例を示している。
図３に示した（ａ）欄は、全番組ジャンル共通の抽出デ−タの設定条件を示しており、ここでは、番組名、番組ジャンル、番組の開始時間、及び番組の終了時間が設定されている。したがって、メインＤＰ３０に表示されるＥＰＧのどの番組を選択しても、サブＤＰ４０には、少なくとも番組名、番組ジャンル、番組の開始時間、及び番組の終了時間が表示されることとなる。
【００４８】
また、（ｂ）欄は、番組ジャンル別の抽出デ−タの設定条件を示しており、番組のジャンル毎に、追加表示する抽出デ−タが設定されている。例えば、メインＤＰ３０に表示されたＥＰＧで選択された番組のジャンルがニュ−スであれば、（ａ）欄に示した全番組ジャンル共通の抽出デ−タと、（ｂ）欄に示した放送局名及びチャンネル番号とを抽出して、サブＤＰ４０に表示させることとなる。
【００４９】
また、提示処理部１７は、サブＤＰ４０に、メインＤＰ３０で表示されているＥＰＧの画面上で選択されている番組箇所からスクロ−ル可能な方向を示すスクロ−ル情報を表示させることもできるようになっている。
なお、前記放送局名は、委託放送事業者を示すものであり、例えば、ＮＨＫ、ＢＳ日テレ、ＢＳ朝日、ＢＳ−ｉ、ＢＳフジ等を示すものである。
【００５０】
また、前記チャンネル番号は、ディジタル放送受信機１０で視聴できる放送局をリモコン２４等のチャンネル釦２４ｄに自動的に割り当てられたチャンネル番号や、使用者による手動設定により割り当てられたチャンネル番号を示すものである。
【００５１】
また、ディジタル放送では、各放送局のチャンネルにおいて、高画質のディジタルハイビジョン放送であれば１番組を、標準画質の標準テレビ放送であれば３つまでの番組を同時に放送することができるマルチ放送の機能を備えており、前記サ−ビス番号は、マルチ放送における番組編成の番号を示すものである。
【００５２】
また、前記音声モ−ドは、番組が二重音声放送である場合に、ディジタル放送受信機１０側で選択されている主音声、副音声、主音声＋副音声のいずれかの設定状態を示すものである。
【００５３】
また、前記チャンネルプリセットモ−ドは、チャンネル番号がディジタル放送受信機１０側で自動的に設定されたもの（オ−トプリセットモ−ド、以下、Auto.Pとも記す）なのか、使用者により手動設定されたもの（マニュアルプリセット、以下、Manual.Pとも記す）なのかを示すものである。
【００５４】
また、前記番組名は、番組のタイトルを示すものであり、また前記番組の記述は、番組内容の説明を示すものである。
【００５５】
また、前記番組の映像品質は、番組が高画質のディジタルハイビジョン放送（ＨＤＴＶ）なのか、標準画質の標準テレビ放送（ＳＤＴＶ）なのかを示すものである。
【００５６】
また、前記番組の言語情報は、番組が二重音声放送である場合に、受信機側で選択されている言語、例えば日本語、英語、仏語などの言語情報を示すものである。
【００５７】
また、前記番組のジャンルは、コンテント記述子に含まれているコンテント識別の分類である、第１段階分類（ジャンル大分類）、及び第２段階分類（ジャンル中分類）の記述内容を示すものである。ジャンル大分類とは、例えば、ニュ−ス、スポ−ツ、映画、音楽、ドラマなどの大分類を示しており、ジャンル中分類とは、前記ジャンル大分類の各ジャンルを更に詳細に分類したジャンルを示すものであり、その符号化された内容の一部を図４に示している。
【００５８】
また、前記表示操作釦は、メインＤＰ３０に表示されているＥＰＧ画面に表示される、例えば、現在／次番組表から週間番組に切り替えるための「週間」釦や、選択した番組の詳細内容に切り替えるための「詳細」釦などの各種の表示切り替えのための操作釦を示すものである。
【００５９】
次に実施の形態（１）に係るディジタル放送受信システムにおけるメインＤＰ３０及びサブＤＰ４０への表示形態を図５〜図１２に示した表示例に基づいて説明する。
【００６０】
映像受信中に、リモコン２４に設けられたＥＰＧ釦２４ａが押されると、リモコン２４からの信号を受信したディジタル放送受信機１０では、ＣＰＵ２０の制御に基づき、提示処理部１７において、ＥＰＧデコ−ド部１６でデコ−ドされたＥＰＧデ−タをメインＤＰ３０及びサブＤＰ４０に表示させる処理が行なわれる。
【００６１】
図５は、メインＤＰ３０へのＥＰＧの表示例を示している。メインＤＰ３０には、現在受信チャンネルの現在及び次の番組を示す「現在／次番組表」が表示されており、スクロ−ル釦２４ｂの操作によりサ−ビス２の次番組「ニュ−スこんばんは」が選択されている状態を示している。
【００６２】
この状態におけるサブＤＰ４０の表示形態を図６に示している。サブＤＰ４０には、図３に示したＥＰＧデ−タ抽出テ−ブルに基づいて抽出された全番組ジャンル共通の抽出デ−タとジャンル別の追加抽出デ−タとが表示されている。この場合、チャンネルプリセットモ−ド及びスクロ−ル情報も表示される例を示している。
【００６３】
そして、図５において、週間番組表の表示に切り替えるための表示操作釦「週間」がスクロ−ル釦２４ｂの操作により選択されると、図７に示すように、サブＤＰ４０には、表示操作釦が選択されたことが分かるように釦内容「週間」が表示される。
【００６４】
そして、リモコン２４の決定釦２４ｃが押されると、メインＤＰ３０は、図８に示す「週間番組表」のＥＰＧ画面に切り替えられ、図８では、スクロ−ル釦２４ｂの操作によりサ−ビス１の番組「プロ野球中継」が選択されている状態を示している。
【００６５】
この状態におけるサブＤＰ４０の表示形態を図９に示している。図３に示したＥＰＧデ−タ抽出テ−ブルに基づいて抽出された全番組ジャンル共通の抽出デ−タ（番組名、番組のジャンル、及び番組の開始・終了時間）とジャンル別の追加抽出デ−タ（番組の映像品質、及び番組の音声品質）とがサブＤＰ４０に表示される。
【００６６】
そして、図８において、番組記述の詳細表示に切り替えるための表示操作釦「詳細」がスクロ−ル釦２４ｂの操作により選択されると、図１０に示すように、サブＤＰ４０には、表示操作釦が選択されたことが分かるように釦内容「詳細」が表示される。
【００６７】
そして、リモコン２４の決定釦２４ｃが押されると、メインＤＰ３０は、図１１に示す番組の記述の詳細を示すＥＰＧ画面に切り替えられ、他方この状態におけるサブＤＰ４０の表示形態は図１２に示したようになる。この場合、ＥＰＧデ−タから番組の記述が抽出されて表示されている。
【００６８】
このように、メインＤＰ３０で選択された番組の所定のＥＰＧデ−タを抽出してサブＤＰ４０に表示させたり、メインＤＰ３０で選択された表示操作釦の内容をサブＤＰ４０に表示させたり、表示操作釦の決定操作により切り替えられた表示内容に応じて所定のＥＰＧデ−タを抽出してサブＤＰ４０に表示させることができるようになっている。
【００６９】
次にディジタル放送受信機１０の提示処理部１７の行う処理動作を図１３に示したフロ−チャ−トに基づいて説明する。尚、この処理はディジタル放送受信機１０の動作中に繰り返し実行される。
【００７０】
まず、ステップＳ１では、番組受信中であるか、すなわちメインＤＰ３０への番組映像の表示処理を行っているか否かを判断し、ステップＳ１において、番組受信中ではないと判断すれば、処理を終了し、一方、番組受信中であると判断すれば、ステップＳ２に進む。
【００７１】
ステップＳ２では、受信中の番組のチャンネル番号と放送局名とをサブＤＰ４０に表示させる処理を行いステップＳ３に進む。
ステップＳ３では、ＥＰＧ釦２４ａの入力に基づいて、ＣＰＵ２０からのＥＰＧの表示指示があったか否かを判断し、ＥＰＧの表示指示がなかったと判断すれば、処理を終了し、一方、ステップＳ３において、ＥＰＧの表示指示があったと判断すれば、ステップＳ４に進む。
【００７２】
ステップＳ４では、現在の受信チャンネルのＥＰＧ（図５に示した現在／次番組表）をメインＤＰ３０に表示させる処理を行い、ステップＳ５に進む。
ステップＳ５では、メインＤＰ３０に表示されているＥＰＧにおいて選択表示されている番組（現在の受信番組）のＥＰＧデ−タをサブＤＰ４０に表示させる処理を行い、ステップＳ６に進む。
【００７３】
ステップＳ６では、メインＤＰ３０に表示されているＥＰＧの番組の選択切替指示があったか否かを判断し、番組の選択切替指示があったと判断すれば、ステップＳ７に進む。
ステップＳ７では、メインＤＰ３０に表示されているＥＰＧにおいて、選択切替指示のあった番組を選択表示（背景色を変える等、選択している番組であることが分かるようにする）させる処理を行い、ステップＳ８に進む。
ステップＳ８では、ステップＳ７において、選択表示された番組のＥＰＧデ−タの一部をサブＤＰ４０に表示させる処理を行い（詳細は後で説明）、ステップＳ９に進む。
【００７４】
ステップＳ９では、リモコン２４の決定釦２４ｃの入力に基づいたＣＰＵ２０からの決定指示があったか否かを判断し、決定指示があったと判断すれば、ステップＳ１０に進み、選択決定に基づいて番組映像の表示に切り替える処理を行い、処理を終了する。一方、ステップＳ９において、決定指示がなかったと判断すれば、ステップＳ６に戻る。
【００７５】
また、ステップＳ６において、番組の選択切替指示がなかったと判断すれば、ステップＳ１１に進み、メインＤＰ３０に表示されているＥＰＧにおける表示操作釦の選択指示があったか否かを判断し、表示操作釦の選択指示があったと判断すれば、ステップＳ１２に進む。ステップＳ１２では、サブＤＰ４０に、選択指示のあった表示操作釦の画像を描画して、表示させる処理を行い、ステップＳ１３に進む。
【００７６】
ステップＳ１３では、選択指示のあった表示操作釦の決定指示があったか否かを判断し、決定指示があったと判断すれば、ステップＳ１４に進む。ステップＳ１４では、選択指示のあった表示操作釦の表示内容に応じたＥＰＧをメインＤＰ３０に表示させる処理を行い、ステップＳ１５に進む。
【００７７】
ステップＳ１５では、ステップＳ１４においてメインＤＰ３０に表示されたＥＰＧの内容に応じたＥＰＧデ−タをサブＤＰ４０に表示させる処理を行い、ステップＳ６に戻る。
【００７８】
また、ステップＳ１１において、表示操作釦の選択指示がなかったと判断した場合、又はステップＳ１３において、表示操作釦の決定指示がなかったと判断した場合には、ステップＳ６に戻る。
【００７９】
次に、図１３に示したステップＳ４及びステップＳ８におけるサブＤＰ４０への表示処理動作の詳細を図１４に示したフロ−チャ−トに基づいて説明する。
まず、ステップＳ２１では、図３に示したＥＰＧデ−タ抽出テ−ブルを読み出し、ステップＳ２２に進む。ステップＳ２２では、メインＤＰ３０にて選択されている番組のＥＰＧデ−タから、番組のジャンルのデ−タを読み出し、ステップＳ２３に進む。
【００８０】
ステップＳ２３では、ステップＳ２２で読み出した番組のジャンルに基づいて、ＥＰＧデ−タ抽出テ−ブルから抽出するＥＰＧデ−タの決定処理を行い、ステップＳ２４に進む。
【００８１】
ステップＳ２４では、番組ジャンルに基づいて決定されたＥＰＧデ−タの抽出処理を行い、ステップＳ２５に進む。ステップＳ２５では、抽出されたＥＰＧデ−タに基づいて、サブＤＰ４０に表示させるための画像を描画する処理を行い、ステップＳ２６に進む。
ステップＳ２６では、描画した画像をサブＤＰ４０に表示させる処理を行い、サブＤＰ表示処理を終了する。
【００８２】
次に、図１３に示したステップＳ１５におけるサブＤＰ４０への表示処理動作の詳細を図１５に示したフロ−チャ−トに基づいて説明する。
まず、ステップＳ３１では、操作された表示操作釦は何かを判断し、「詳細」又は「内容」などの番組内容の説明画面に切り替える表示操作釦であれば、ステップＳ３２に進み、ステップＳ３２では、ＥＰＧデ−タから番組記述のデ−タの抽出処理を行い、ステップＳ３３に進む。
【００８３】
ステップＳ３３では、抽出された番組記述のデ−タに基づいて、サブＤＰ４０に表示させるための画像を描画する処理を行い、ステップＳ３４に進む。
ステップＳ３４では、描画した画像をサブＤＰ４０に表示させる処理を行い、サブＤＰ表示処理を終了する。
【００８４】
一方、ステップＳ３１において、操作された表示操作釦が、「現・次」又は「週間」などの番組表の表示画面に切り替える表示操作釦であれば、上記説明したステップＳ２１に進み、上記と同様の処理を行う。
【００８５】
上記実施の形態（１）に係るディジタル放送受信システムによれば、ディジタル放送受信機１０が、メインＤＰ３０に表示されるＥＰＧデ−タから所定のＥＰＧデ−タを抽出し、前記所定のＥＰＧデ−タに基づいて画像を描画処理し、サブＤＰ４０に表示させることができ、運転者は、サブＤＰ４０を通じて、メインＤＰ３０に表示されている番組に関する情報を分かりやすく把握することができる。
【００８６】
また、メインＤＰ３０に表示されているＥＰＧの中で選択されている番組のＥＰＧデ−タに含まれている情報を様々な形態でサブＤＰ４０に表示させることができ、サブＤＰ４０を通じて、運転者は、選択番組のＥＰＧデ−タに含まれている種々の情報を把握することができる。
【００８７】
また、スクロ−ル情報がサブＤＰ４０に表示されるので、メインＤＰ３０に表示されているＥＰＧを見なくても、スクロ−ル可能な方向を把握することができ、番組選択をスム−ズに行うことができる。
また、サブＤＰ４０が、メ−タパネル４１内に設けられているので、運転者が前方から視線を大きくそらすことなくＥＰＧを視認することができ、脇見運転等を防止して、車両搭載時の安全性を向上させることができる。
【００８８】
なお、上記実施の形態では、サブＤＰ４０をメ−タパネル４１に設ける構成としたが、別の実施の形態では、サブＤＰ４０として車両前方に虚像表示させるＨＵＤ（Headup Display) を採用することができ、この場合、運転中の視線移動をさらに少なくすることができる。
【００８９】
次に実施の形態（２）に係るディジタル放送受信システムについて説明する。実施の形態（２）に係るディジタル放送受信システムは、図１に示したディジタル放送受信システム１と略同様であるので、ここでは異なる機能を有するディジタル放送受信機１０Ａの提示処理部１７ａ、ＲＯＭ１９ａ、及びＣＰＵ２０ａには、異なる符号を付し、その他の同一機能を有する構成部品には同一符号を付し、その説明を省略する。
【００９０】
実施の形態（２）に係るディジタル放送受信システム１Ａと、実施の形態（１）に係るディジタル放送受信システム１とでは、ディジタル放送受信機１０Ａが相違しており、ディジタル放送受信機１０ＡのＲＯＭ１９ａにはＥＰＧデ−タと関連付けられたイラストデ−タが記憶され、提示処理部１７ａが、メインＤＰ３０に表示されるＥＰＧデ−タの一部をサブＤＰ４０に表示させる処理を行う場合に、ＲＯＭ１９ａから読み出されたイラストデ−タの画像を描画処理し、文字情報の代わりにイラストをサブＤＰ４０に表示させるようになっている。
【００９１】
ＲＯＭ１９ａに記憶されているイラストデ−タには、ＥＰＧデ−タに含まれている番組の開始時刻や終了時刻をイラスト表示させるためのイラストデ−タや、番組のジャンルをイラスト表示させるためのイラストデ−タが含まれている。
【００９２】
図１６は、図４に示した番組のジャンルの分類（ジャンル大分類：スポ−ツ）に関連付けてＲＯＭ１９ａに記憶されているイラストデ−タのイラスト表示例を示している。
【００９３】
また、図１７は、サブＤＰ４０へのイラストデ−タの表示例を示している。
図１７（ａ）は、図６に示したサブＤＰ４０への表示画面において、番組の開始時間と番組の終了時間とをイラスト表示した例を示している。図１７（ｂ）は、図９に示したサブＤＰ４０への表示画面において、番組のジャンル、番組の開始時間と終了時間、及び映像品質と音声品質をイラスト表示した例を示している。
【００９４】
次に、ディジタル放送受信機１０Ａにおける提示処理部１７ａの行うサブＤＰ４０への選択番組のＥＰＧデ−タの表示処理動作を図１８に示したフロ−チャ−トに基づいて説明する。
【００９５】
図１８に示したディジタル放送受信機１０Ａにおける提示処理部１７ａの行うサブＤＰ４０への選択番組のＥＰＧデ−タの表示処理動作は、図１４に示したステップＳ２４とステップＳ２６の間に、ステップＳ４１〜Ｓ４４を追加した構成となっており、図１４に示した処理動作と同様の処理動作については、同じ符号を付し、その説明を省略する。
【００９６】
ステップＳ２４では、番組ジャンルに基づいて決定されたＥＰＧデ−タの抽出処理を行い、ステップＳ４１に進む。
ステップＳ４１では、ＲＯＭ１９ａからＥＰＧデ−タに関連付けて記憶されているイラストデ−タを読み出し、ステップＳ４２に進む。ステップＳ４２では、ステップ２４で抽出されたＥＰＧデ−タの中に該ＥＰＧデ−タと関連付けられたイラストデ−タが含まれているか否か、すなわち、イラスト表示可能なＥＰＧデ−タが含まれているか否かを判断し、イラスト表示可能なＥＰＧデ−タが含まれていないと判断すれば、ステップＳ２５に進む。
【００９７】
一方、ステップＳ４２において、イラスト表示可能なＥＰＧデ−タが含まれている、すなわちイラストデ−タを表示させると判断すれば、ステップＳ４３に進む。ステップＳ４３では、抽出したＥＰＧデ−タに対応するイラストデ−タの画像を描画処理し、ステップＳ４４に進む。
【００９８】
ステップＳ４４では、イラストに変換されていない他のＥＰＧデ−タの画像を描画処理し、ステップＳ２６に進み、ステップＳ２６では、イラストと文字とで示された選択番組のＥＰＧ情報をサブＤＰ４０に表示させる処理を行い、処理を終了する。
【００９９】
上記実施の形態（２）に係るディジタル放送システムによれば、ディジタル放送受信機１０Ａでデコ−ドされたＥＰＧデ−タをサブＤＰ４０に表示させる場合に、提示処理部１７ａにおいて、イラストデ−タをサブＤＰ４０に表示させるか否かを、ＲＯＭ１９ａに記憶されているイラストデ−タに基づいて、適切に判断し、抽出したＥＰＧデ−タと関連付けられたイラストをサブＤＰ４０に表示させることができ、前記イラストによりサブＤＰ４０に表示される番組情報をより分かりやすいものにすることができる。
【０１００】
次に実施の形態（３）に係るディジタル放送受信システムについて説明する。図１９は、実施の形態（３）に係るディジタル放送受信システムの要部を概略的に示したブロック図である。ただし、図１に示したディジタル放送受信システムと同一機能を有する構成部品には同一符号を付し、その説明を省略する。
【０１０１】
実施の形態（３）に係るディジタル放送受信システムは、実施の形態（１）に係るディジタル放送受信システムとは、サブＤＰ４０に表示する画面を切り替えるための切替スイッチを備えた表示画面切替手段４２が、ディジタル放送受信機１０Ｂに接続されている点で大きく相違しており、また、異なる機能を有するディジタル放送受信機１０Ｂの提示処理部１７ｂ、ＲＯＭ１９ｂ、及びＣＰＵ２０ｂには異なる符号を付してある。
【０１０２】
表示画面切替手段４２は、運転手が視線移動をあまり行わなくても操作が可能なハンドル４３付近に設置され、表示画面切替手段４２の切替操作による表示画面切替信号がディジタル放送受信機１０ＢのＩ／Ｏポ−ト２２ヘ出力されるようになっている。
【０１０３】
ディジタル放送受信機１０Ｂでは、取り込んだ前記表示画面切替信号のカウンタの値に基づいて、提示処理部１７ｂが、サブＤＰ４０に表示する画面を切り替える処理を行うようになっている。
【０１０４】
図２０は、ＲＯＭ１９ｂに記憶されている、表示画面切替信号のカウンタの値に応じて設定されたＥＰＧデ−タ抽出テ−ブルの一例を示している。
また、図２１は、メインＤＰ３０で選択された番組が図５に示した「ニュ−スこんばんは」である場合におけるＥＰＧデ−タのサブＤＰ４０への表示例を示している。
【０１０５】
図２０に示したＥＰＧデ−タ抽出テ−ブルでは、カウンタの値に応じて表示されるＥＰＧデ−タの抽出条件が５段階に設定されている。
カウンタの値Ｎが５ａ（ａは０以上の整数値）で表せる値（０、５、１０、…）であれば、選択番組のＥＰＧデ−タの中から放送局とチャンネル番号とチャンネルプリセットモ−ドと、サ−ビス番号とを抽出する設定となっており、この場合、図２１（ａ）に示すような表示形態でサブＤＰ４０に表示されるようになっている。
【０１０６】
また、カウンタの値Ｎが５ａ＋１で表せる値（１、６、１１、…）であれば、選択番組のＥＰＧデ−タの中から番組のジャンルと、番組名と、番組の開始時間と、番組の終了時間とを抽出する設定となっており、この場合、図２１（ｂ）に示すような表示形態でサブＤＰ４０に表示されるようになっている。
【０１０７】
また、カウンタの値Ｎが５ａ＋２で表せる値（２、７、１２、…）であれば、選択番組のＥＰＧデ−タの中から番組の記述を抽出する設定となっており、この場合、図２１（ｃ）に示すような表示形態でサブＤＰ４０に表示されるようになっている。
【０１０８】
また、カウンタの値Ｎが５ａ＋３で表せる値（３、８、１３、…）であれば、選択番組のＥＰＧデ−タの中から言語情報と、音声モ−ドとを抽出する設定となっており、この場合、図２１（ｄ）に示すような表示形態でサブＤＰ４０に表示されるようになっている。
【０１０９】
また、カウンタの値Ｎが５ａ＋４で表せる値（４、９、１４、…）であれば、選択番組のＥＰＧデ−タの中から番組の映像品質と、番組の音声品質とを抽出する設定となっており、この場合、図２１（ｅ）に示すような表示形態でサブＤＰ４０に表示されるようになっている。
【０１１０】
次にディジタル放送受信機１０Ｂにおける提示処理部１７ｂの行うサブＤＰ４０への選択番組のＥＰＧデ−タの表示処理動作を図２２に示したフロ−チャ−トに基づいて説明する。尚、この処理はディジタル放送受信機１０Ｂの動作中に繰り返し実行される。
【０１１１】
まず、ステップＳ５１では、メインＤＰ３０に表示されているＥＰＧの番組の選択切替指示があったか否かを判断し、番組の選択切替指示があったと判断すれば、ステップＳ５２に進む。
【０１１２】
ステップＳ５２では、カウンタを０にして、ステップＳ５３に進む。ステップＳ５３では、図２０に示したカウンタの値に対応して設定されたＥＰＧデ−タ抽出テ−ブルを読み出し、ステップＳ５４に進む。
【０１１３】
ステップＳ５４では、カウンタの値に基づいて、ＥＰＧデ−タ抽出テ−ブルから抽出するＥＰＧデ−タの決定処理を行い、ステップＳ５５に進む。この場合、カウンタの値が０なので、カウンタの値が５ａに当てはまり、抽出するＥＰＧデ−タは、放送局、チャンネル番号、チャンネルプリセットモ−ド、及びサ−ビス番号に決定される。
【０１１４】
ステップＳ５５では、カウンタの値に基づいて決定されたＥＰＧデ−タの抽出処理を行い、ステップＳ５６に進む。ステップＳ５６では、抽出されたＥＰＧデ−タに基づいて、サブＤＰ４０に表示させるための画像を描画する処理を行い、ステップＳ５７に進む。ステップＳ５７では、描画した画像をサブＤＰ４０に表示させる処理を行い、ステップＳ５８に進む。
【０１１５】
ステップＳ５８では、表示画面切替手段４２からの表示画面切替信号に基づいた表示画面切替指示があったか否かを判断する。ステップＳ５８において、表示画面切替指示があったと判断すれば、ステップＳ５９に進む。
【０１１６】
ステップＳ５９では、カウンタに１を加算して、ステップＳ５４に戻り、カウンタの値に基づいて、ＥＰＧデ−タ抽出テ−ブルから抽出するＥＰＧデ−タの決定処理を行い、以下上記と同様の処理により、サブＤＰ４０にカウンタの値に対応して設定されたＥＰＧデ−タに基づいて、画像を描画処理し、サブＤＰ４０に表示させる処理を行う。
【０１１７】
また、ステップＳ５１において、番組の選択切替指示がなかったと判断した場合、又は、ステップＳ５８において、表示画面切替指示がなかったと判断した場合には、処理を終了する。
【０１１８】
上記実施の形態（３）に係るディジタル放送受信システムによれば、表示画面切替手段４２からの表示画面切替信号に基づいて、サブＤＰ４０に表示させる画面を適宜切り替えることができ、選択された番組に関するさまざまな情報を、運転者の好みに応じて切り換えることができ、運転者は、番組に関して知りたい情報を把握することができる。
【０１１９】
また、表示画面切替手段４２が、車両のハンドル４３付近に設置されているので、運転者は、表示内容の切替のための操作を簡単に行うことができ、操作に伴う運転者の視線移動を抑えることができ、安全性を向上させることができる。
【図面の簡単な説明】
【図１】本発明の実施の形態（１）に係るディジタル放送受信システムの要部を概略的に示したブロック図である。
【図２】実施の形態（１）に係るディジタル放送受信システムにおけるディジタル放送受信機で受信するＥＩＴのデ−タ構造の一部を示した図である。
【図３】実施の形態（１）に係るディジタル放送受信システムにおけるディジタル放送受信機のＲＯＭに記憶されているＥＰＧデ−タ抽出テ−ブルの一例を示した図である。
【図４】実施の形態（１）に係るディジタル放送受信システムにおけるディジタル放送受信機で受信するＥＰＧデ−タの番組のジャンルの分類形態を示した図である。
【図５】実施の形態（１）に係るディジタル放送受信システムにおけるメインＤＰへの表示例を示した図である。
【図６】実施の形態（１）に係るディジタル放送受信システムにおけるサブＤＰへの表示例を示した図である。
【図７】実施の形態（１）に係るディジタル放送受信システムにおけるサブＤＰへの表示例を示した図である。
【図８】実施の形態（１）に係るディジタル放送受信システムにおけるメインＤＰへの表示例を示した図である。
【図９】実施の形態（１）に係るディジタル放送受信システムにおけるサブＤＰへの表示例を示した図である。
【図１０】実施の形態（１）に係るディジタル放送受信システムにおけるサブＤＰへの表示例を示した図である。
【図１１】実施の形態（１）に係るディジタル放送受信システムにおけるメインＤＰへの表示例を示した図である。
【図１２】実施の形態（１）に係るディジタル放送受信システムにおけるサブＤＰへの表示例を示した図である。
【図１３】実施の形態（１）に係るディジタル放送受信システムにおけるディジタル放送受信機の提示処理部の行う処理動作を示すフロ−チャ−トである。
【図１４】実施の形態（１）に係るディジタル放送受信システムにおけるディジタル放送受信機の提示処理部の行う処理動作を示すフロ−チャ−トである。
【図１５】実施の形態（１）に係るディジタル放送受信システムにおけるディジタル放送受信機の提示処理部の行う処理動作を示すフロ−チャ−トである。
【図１６】本発明の実施の形態（２）に係るディジタル放送受信システムにおけるディジタル放送受信機のＲＯＭに番組のジャンルに関連付けて記憶されているイラストデ−タの表示例を示した図である。
【図１７】（ａ）、（ｂ）は、実施の形態（２）に係るディジタル放送受信システムにおけるサブＤＰへの表示例を示した図である。
【図１８】実施の形態（２）に係るディジタル放送受信システムにおけるディジタル放送受信機の提示処理部の行う処理動作を示すフロ−チャ−トである。
【図１９】本発明の実施の形態（３）に係るディジタル放送受信システムの要部を概略的に示したブロック図である。
【図２０】実施の形態（３）に係るディジタル放送受信システムにおけるディジタル放送受信機のＲＯＭに記憶されているＥＰＧデ−タ抽出テ−ブルの一例を示した図である。
【図２１】（ａ）〜（ｅ）は、実施の形態（３）に係るディジタル放送受信システムにおけるサブＤＰへの表示例を示した図である。
【図２２】実施の形態（３）に係るディジタル放送受信システムにおけるディジタル放送受信機の提示処理部の行う処理動作を示すフロ−チャ−トである。
【図２３】従来のディジタル放送受信システムの要部を概略的に示したブロック図である。
【図２４】ＥＰＧのディスプレイへの表示例を示した図である。
【符号の説明】
１、１Ａ、１Ｂ  ディジタル放送受信システム
１０、１０Ａ、１０Ｂ  ディジタル放送受信機
１７、１７ａ、１７ｂ  提示処理部
１９、１９ａ、１９ｂ  ＲＯＭ
２０、２０ａ、２０ｂ  ＣＰＵ
３０  メインディスプレイ
４０  サブディスプレイ
４２  表示画面切替手段
【図１】
0003992503.tif 000002
【図２】
0003992503.tif 000003
【図３】
0003992503.tif 000004
【図４】
0003992503.tif 000005
【図５】
0003992503.tif 000006
【図６】
0003992503.tif 000007
【図７】
0003992503.tif 000008
【図８】
0003992503.tif 000009
【図９】
0003992503.tif 000010
【図１０】
0003992503.tif 000011
【図１１】
0003992503.tif 000012
【図１２】
0003992503.tif 000013
【図１３】
0003992503.tif 000014
【図１４】
0003992503.tif 000015
【図１５】
0003992503.tif 000016
【図１６】
0003992503.tif 000017
【図１７】
0003992503.tif 000018
【図１８】
0003992503.tif 000019
【図１９】
0003992503.tif 000020
【図２０】
0003992503.tif 000021
【図２１】
0003992503.tif 000022
【図２２】
0003992503.tif 000023
【図２３】
0003992503.tif 000024
【図２４】
0003992503.tif 000025